【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
ネットワークを介して他の情報処理装置と接続される情報処理装置において、
オンオフを入力する入力手段と、
前記入力手段によりオンまたはオフが入力された入力タイミングを計測する入力タイミング計測手段と、
前記入力タイミングを前記ネットワークを介して他の情報処理装置に送信する送信手段と
を備えることを特徴とする情報処理装置。
【請求項２】
前記入力タイミング手段は、
前記入力手段によりオンが入力されたオンタイミングを計測するオンタイミング計測手段と、
前記入力手段によりオフが入力されたオフタイミングを計測するオフタイミング計測手段とをさらに備え、
前記送信手段は、前記入力タイミングを、前記オンタイミング、および、前記オフタイミングとして、前記ネットワークを介して他の情報処理装置に送信する
ことを特徴とする請求項１に記載の情報処理装置。
【請求項３】
前記ネットワークは、ブルートゥースにより構成される
ことを特徴とする請求項１に記載の情報処理装置。
【請求項４】
前記オンタイミング計測手段、および、前記オフタイミング計測手段は、いずれも複数回数のタイミングを計測する
ことを特徴とする請求項２に記載の情報処理装置。
【請求項５】
ネットワークを介して他の情報処理装置と接続される情報処理装置の情報処理方法において、
オンオフを入力する入力ステップと、
前記入力ステップの処理によりオンまたはオフが入力された入力タイミングを計測する入力タイミング計測ステップと、
前記入力タイミングを前記ネットワークを介して他の情報処理装置に送信する送信ステップと
を含むことを特徴とする情報処理方法。
【請求項６】
ネットワークを介して他の情報処理装置と接続される情報処理装置を制御するプログラムであって、
オンオフの入力を制御する入力制御ステップと、
前記入力制御ステップの処理によりオンまたはオフが入力された入力タイミングを計測する入力タイミング計測ステップと、
前記入力タイミングの前記ネットワークを介した他の情報処理装置への送信を制御する送信制御ステップと
を含むことを特徴とするコンピュータが読み取り可能なプログラムが記録されている記録媒体。
【請求項７】
ネットワークを介して他の情報処理装置と接続される情報処理装置を制御するコンピュータに、
オンオフの入力を制御する入力制御ステップと、
前記入力制御ステップの処理によりオンまたはオフが入力された入力タイミングを計測する入力タイミング計測ステップと、
前記入力タイミングの前記ネットワークを介した他の情報処理装置への送信を制御する送信制御ステップと
を実行させるプログラム。
【請求項８】
ネットワークを介して他の情報処理装置と接続される情報処理装置において、
オンオフを入力する入力手段と、
前記入力手段によりオンまたはオフが入力された入力タイミングを計測する入力タイミング計測手段と、
前記他の情報処理装置より送信されてくる、前記他の情報処理装置の他の入力手段によりオンまたはオフが入力された入力タイミングを受信する入力タイミング受信手段と、
前記入力タイミング計測手段により計測された入力タイミングと、前記入力タイミング受信手段により受信された入力タイミングとを比較する比較手段と、
前記比較手段の比較結果に基づいて、前記他の情報処理装置との認証処理を実行する認証手段と
を備えることを特徴とする情報処理装置。
【請求項９】
前記ネットワークは、ブルートゥースにより構成される
ことを特徴とする請求項８に記載の情報処理装置。
【請求項１０】
前記入力タイミング計測手段は、
前記入力手段によりオンが入力されたオンタイミングを計測する第１のオンタイミング計測手段と、
前記入力手段によりオフが入力されたオフタイミングを計測する第１のオフタイミング計測手段とをさらに備え、
前記入力タイミング受信手段は、前記他の情報処理装置より送信されてくる、前記他の情報処理装置の他の入力手段によりオンが入力された第２のオンタイミング、および、オフが入力された第２のオフタイミングを入力タイミングとして受信し、
前記比較手段は、前記第１のオンタイミングと前記第２のオンタイミング、および、前記第１のオフタイミングと前記第２のオフタイミングを、それぞれ比較する
ことを特徴とする請求項８に記載の情報処理装置。
【請求項１１】
前記比較手段は、前記第１のオンタイミングと前記第１のオフタイミング、および、前記第２のオンタイミングと第２のオフタイミングとの、それぞれの差を求めて、前記差が所定範囲内であるか否かを比較する
ことを特徴とする請求項１０に記載の情報処理装置。
【請求項１２】
前記認証手段は、前記それぞれの差が、いずれも前記所定の範囲内であるとき、前記他の情報処理装置を認証する
ことを特徴とする請求項１１に記載の情報処理装置。
【請求項１３】
前記第１のオンタイミング計測手段、および、前記第１のオフタイミング計測手段は、いずれも複数回数のタイミングを計測し、前記受信手段は、前記他の入力手段により複数回数オンが入力された第２のオンタイミング、および、複数回数オフにされた第２のオフタイミングを受信する
ことを特徴とする請求項１０に記載の情報処理装置。
【請求項１４】
ネットワークを介して他の情報処理装置と接続される情報処理装置の情報処理方法において、
オンオフを入力する入力ステップと、
前記入力ステップの処理でオンまたはオフが入力された入力タイミングを計測する入力タイミング計測ステップと、
前記他の情報処理装置より送信されてくる、前記他の情報処理装置の他の入力ステップの処理でオンまたはオフが入力された入力タイミングを受信する入力タイミング受信ステップと、
前記入力タイミング計測ステップの処理により計測された入力タイミングと、前記入力タイミング受信ステップの処理により受信された入力タイミングとを比較する比較ステップと、
前記比較ステップの処理での比較結果に基づいて、前記他の情報処理装置との認証処理を実行する認証ステップと
を含むことを特徴とする情報処理方法。
【請求項１５】
ネットワークを介して他の情報処理装置と接続される情報処理装置を制御するプログラムであって、
オンオフの入力を制御する入力ステップと、
前記入力制御ステップの処理でオンまたはオフが入力された入力タイミングの計測を制御する入力タイミング計測制御ステップと、
前記他の情報処理装置より送信されてくる、前記他の情報処理装置の他の入力制御ステップの処理でオンまたはオフが入力された入力タイミングの受信を制御する入力タイミング受信制御ステップと、
前記入力タイミング計測制御ステップの処理により計測された入力タイミングと、前記入力タイミング受信制御ステップの処理により受信された入力タイミングとを比較を制御する比較制御ステップと、
前記比較制御ステップの処理での比較結果に基づいて、前記他の情報処理装置との認証処理の実行を制御する認証制御ステップと
を含むことを特徴とするコンピュータが読み取り可能なプログラムが記録されている記録媒体。
【請求項１６】
ネットワークを介して他の情報処理装置と接続される情報処理装置を制御するコンピュータに、
オンオフの入力を制御する入力ステップと、
前記入力制御ステップの処理でオンまたはオフが入力された入力タイミングの計測を制御する入力タイミング計測制御ステップと、
前記他の情報処理装置より送信されてくる、前記他の情報処理装置の他の入力制御ステップの処理でオンまたはオフが入力された入力タイミングの受信を制御する入力タイミング受信制御ステップと、
前記入力タイミング計測制御ステップの処理により計測された入力タイミングと、前記入力タイミング受信制御ステップの処理により受信された入力タイミングとを比較を制御する比較制御ステップと、
前記比較制御ステップの処理での比較結果に基づいて、前記他の情報処理装置との認証処理の実行を制御する認証制御ステップと
を実行させるプログラム。
【請求項１７】
ネットワークを介して相互に接続される第1の情報処理装置と第２の情報処理装置からなる情報処理システムにおいて、
第1の情報処理装置は、
オンオフを入力する第１の入力手段と、
前記第１の入力手段によりオンまたはオフが入力された第１の入力タイミングを計測する第１の入力タイミング計測手段と、
前記第１のタイミングを前記ネットワークを介して前記第２の情報処理装置に送信する送信手段と
を備え、
第２の情報処理装置は、
オンオフを入力する第２の入力手段と、
前記第２の入力手段によりオンまたはオフが入力された第２の入力タイミングを計測する第２の入力タイミング計測手段と、
前記第１の情報処理装置より送信されてくる、前記第１の入力タイミングを受信する受信手段と、
前記第１の入力タイミングと前記第２の入力タイミングとを比較する比較手段と、
前記比較手段の比較結果に基づいて、前記第１の情報処理装置との認証処理を実行する認証手段と
を備える
ことを特徴とする情報処理システム。
【請求項１８】
前記第１の入力タイミング計測手段は、
前記第１の入力手段によりオンが入力された第１のオンタイミングを計測する第1のオンタイミング計測手段と、
前記第１の入力手段によりオフが入力された第１のオフタイミングを計測する第１のオフタイミング計測手段とをさらに備え、
前記第１の入力タイミングを前記第１のオンタイミングおよび前記第１のオフタイミングとして計測し、
前記第２の入力タイミング計測手段は、
前記第２の入力手段によりオンが入力された第２のオンタイミングを計測する第２のオンタイミング計測手段と、
前記第２の入力手段によりオフが入力された第２のオフタイミングを計測する第２のオフタイミング計測手段とをさらに備え、
前記第２の入力タイミングを前記第２のオンタイミングおよび前記第２のオフタイミングとして計測し、
前記送信手段は、前記入力タイミングとして、前記第１のオンタイミング、および、前記第１のオフタイミングを前記ネットワークを介して前記第２の情報処理装置に送信し、
前記受信手段は、前記第１の情報処理装置より送信されてくる、前記第１のオンタイミング、および、前記第１のオフタイミングを前記入力タイミングとして受信し、
前記比較手段は、前記第１のオンタイミングと前記第２のオンタイミング、および、前記第１のオフタイミングと前記第２のオフタイミングとをそれぞれ比較する
ことを特徴とする請求項１７に記載の情報処理システム。
【請求項１９】
ネットワークを介して相互に接続される第1の情報処理装置と第２の情報処理装置からなる情報処理システムの情報処理方法において、
第1の情報処理装置の情報処理方法は、
オンオフを入力する第１の入力ステップと、
前記第１の入力手段によりオンまたはオフが入力された第１の入力タイミングを計測する第1の入力タイミング計測ステップと、
前記第１の入力タイミングを前記ネットワークを介して前記第２の情報処理装置に送信する送信ステップと
を含み、
第２の情報処理装置の情報処理方法は、
オンオフを入力する第２の入力ステップと、
前記第２の入力ステップの処理でオンまたはオフが入力された入力タイミングを計測する第２の入力タイミング計測ステップと、
前記第１の情報処理装置より送信されてくる、前記第１の入力タイミングを受信する受信ステップと、
前記第１の入力タイミングと前記第２の入力タイミングとを比較する比較ステップと、
前記比較ステップの処理での比較結果に基づいて、前記第１の情報処理装置との認証処理を実行する認証ステップと
を含む
ことを特徴とする情報処理システムの情報処理方法。
【請求項２０】
ネットワークを介して相互に接続される第1の情報処理装置と第２の情報処理装置からなる情報処理システムを制御するプログラムであって、
第1の情報処理装置を制御するプログラムは、
オンオフの入力を制御する第１の入力制御ステップと、
前記第１の入力制御ステップの処理でオンまたはオフが入力された第１の入力タイミングの計測を制御する第１の入力タイミング計測制御ステップと、
前記第１の入力タイミングの前記ネットワークを介した前記第２の情報処理装置への送信を制御する送信制御ステップと
を含み、
第２の情報処理装置を制御するプログラムは、
オンオフの入力を制御する第２の入力制御ステップと、
前記第２の入力制御ステップの処理でオンまたはオフが入力された入力タイミングの計測を制御する第２の入力タイミング計測制御ステップと、
前記第１の情報処理装置より送信されてくる、前記第１の入力タイミングの受信を制御する受信制御ステップと、
前記第１の入力タイミングと前記第２の入力タイミングとの比較を制御する比較制御ステップと、
前記比較制御ステップの処理での比較結果に基づいた、前記第１の情報処理装置との認証処理の実行を制御する認証制御ステップと
を含む
ことを特徴とするコンピュータが読み取り可能なプログラムが記録されている記録媒体。
【請求項２１】
ネットワークを介して相互に接続される第1の情報処理装置と第２の情報処理装置からなる情報処理システムを制御するコンピュータのうち、
第1の情報処理装置を制御するコンピュータに、
オンオフの入力を制御する第１の入力制御ステップと、
前記第１の入力制御ステップの処理でオンまたはオフが入力された第１の入力タイミングの計測を制御する第１の入力タイミング計測制御ステップと、
前記第１の入力タイミングの前記ネットワークを介した前記第２の情報処理装置への送信を制御する送信制御ステップと
を実行させ、
第２の情報処理装置を制御するコンピュータに、
オンオフの入力を制御する第２の入力制御ステップと、
前記第２の入力制御ステップの処理でオンまたはオフが入力された入力タイミングの計測を制御する第２の入力タイミング計測制御ステップと、
前記第１の情報処理装置より送信されてくる、前記第１の入力タイミングの受信を制御する受信制御ステップと、
前記第１の入力タイミングと前記第２の入力タイミングとの比較を制御する比較制御ステップと、
前記比較制御ステップの処理での比較結果に基づいた、前記第１の情報処理装置との認証処理の実行を制御する認証制御ステップと
を実行させるプログラム。
【請求項２２】
ネットワークを介して他の情報処理装置と接続される情報処理装置において、
オンオフを入力する入力手段と、
前記入力手段によりオンまたはオフが入力された入力タイミングを計測する入力タイミング計測手段と、
前記入力タイミングを前記ネットワークを介して前記他の情報処理装置に送信する送信手段と、
前記他の情報処理装置より送信されてくる、前記送信手段により送信された前記入力タイミングに対応した、前記他の情報処理装置の他の入力手段によりオンまたはオフが入力された入力タイミングを受信する受信手段と、
前記入力タイミング計測手段により計測された入力タイミングと、前記受信手段により受信された前記入力タイミングとを比較する比較手段と、
前記比較手段の比較結果に基づいて、前記他の情報処理装置との認証処理を実行する認証手段と
を備えることを特徴とする情報処理装置。
【請求項２３】
前記ネットワークは、ブルートゥースにより構成される
ことを特徴とする請求項２２に記載の情報処理装置。
【請求項２４】
前記入力タイミング計測手段は、
前記入力手段によりオンが入力された第１のオンタイミングを計測する第1のオンタイミング計測手段と、
前記入力手段によりオフが入力された第１のオフタイミングを計測する第２のオフタイミング計測手段とをさらに備え、
前記送信手段は、前記入力タイミングを、前記第１のオンタイミング、および、前記第１のオフタイミングとして、前記ネットワークを介して前記他の情報処理装置に送信し、
前記受信手段は、前記他の情報処理装置より送信されてくる、前記送信手段により送信された前記第１のオンタイミング、および、前記第１のオフタイミングに対応した、前記他の情報処理装置の他の入力手段によりオンが入力された第２のオンタイミング、および、オフが入力された第２のオフタイミングを受信し、
前記比較手段は、前記第１のオンタイミングと前記第２のオンタイミング、または、前記第１のオフタイミングと前記第２のオフタイミングとを比較する
ことを特徴とする請求項２２に記載の情報処理装置。
【請求項２５】
前記第１のオンタイミング計測手段、および、前記第１のオフタイミング計測手段は、いずれも複数回数のタイミングを計測し、前記受信手段は、前記他の入力手段により複数回数オンが入力された第２のオンタイミング、および、複数回数オフにされた第２のオフタイミングを受信する
ことを特徴とする請求項２４に記載の情報処理装置。
【請求項２６】
前記比較手段は、前記第１のオンタイミングと前記第２のオンタイミング、または、前記第１のオフタイミングと前記第２のオフタイミングとの差を求めて、前記差が所定範囲内になるか否かを比較する
ことを特徴とする請求項２４に記載の情報処理装置。
【請求項２７】
前記認証手段は、前記差が、前記所定の範囲内であるとき、前記他の情報処理装置を認証する
ことを特徴とする請求項２６に記載の情報処理装置。
【請求項２８】
ネットワークを介して他の情報処理装置と接続される情報処理装置の情報処理方法において、
オンオフを入力する入力ステップと、
前記入力ステップの処理でオンまたはオフが入力された入力タイミングを計測する入力タイミング計測ステップと、
前記入力タイミングを前記ネットワークを介して前記他の情報処理装置に送信する送信ステップと、
前記他の情報処理装置より送信されてくる、前記送信ステップの処理で送信された前記入力タイミングに対応した、前記他の情報処理装置の他の入力ステップの処理でオンまたはオフが入力された入力タイミングを受信する受信ステップと、
前記入力タイミング計測手段により計測された入力タイミングと、前記受信手段により受信された前記入力タイミングとを比較する比較ステップと、
前記比較ステップの処理での比較結果に基づいて、前記他の情報処理装置との認証処理を実行する認証ステップと
を含むことを特徴とする情報処理方法。
【請求項２９】
ネットワークを介して他の情報処理装置と接続される情報処理装置を制御するプログラムであって、
オンオフの入力を制御する入力制御ステップと、
前記入力制御ステップの処理でオンまたはオフが入力された入力タイミングの計測を制御する入力タイミング計測制御ステップと、
前記入力タイミングの前記ネットワークを介した前記他の情報処理装置への送信を制御する送信制御ステップと、
前記他の情報処理装置より送信されてくる、前記送信制御ステップの処理で送信された前記入力タイミングに対応した、前記他の情報処理装置の他の入力制御ステップの処理でオンまたはオフが入力された入力タイミングの受信を制御する受信制御ステップと、
前記入力タイミング計測制御ステップの処理により計測された入力タイミングと、前記受信制御ステップの処理により受信された前記入力タイミングとの比較を制御する比較制御ステップと、
前記比較制御ステップの処理での比較結果に基づいて、前記他の情報処理装置との認証処理の実行を制御する認証制御ステップと
を含むことを特徴とするコンピュータが読み取り可能なプログラムが記録されている記録媒体。
【請求項３０】
ネットワークを介して他の情報処理装置と接続される情報処理装置を制御するコンピュータに、
オンオフの入力を制御する入力制御ステップと、
前記入力制御ステップの処理でオンまたはオフが入力された入力タイミングの計測を制御する入力タイミング計測制御ステップと、
前記入力タイミングの前記ネットワークを介した前記他の情報処理装置への送信を制御する送信制御ステップと、
前記他の情報処理装置より送信されてくる、前記送信制御ステップの処理で送信された前記入力タイミングに対応した、前記他の情報処理装置の他の入力制御ステップの処理でオンまたはオフが入力された入力タイミングの受信を制御する受信制御ステップと、
前記入力タイミング計測制御ステップの処理により計測された入力タイミングと、前記受信制御ステップの処理により受信された前記入力タイミングとの比較を制御する比較制御ステップと、
前記比較制御ステップの処理での比較結果に基づいて、前記他の情報処理装置との認証処理の実行を制御する認証制御ステップと
を実行させるプログラム。
【請求項３１】
ネットワークを介して相互に接続される、オンオフを入力する第１の入力手段と、前記第１の入力手段によりオンまたはオフが入力された第１の入力タイミングを計測する第１の入力タイミング計測手段と、前記第１の入力タイミングを前記ネットワークを介して第２の情報処理装置に送信する第１の送信手段とを備えた第１の情報処理装置と、オンオフを入力する第２の入力手段と、前記第２の入力手段によりオンまたはオフが入力された第２の入力タイミングを計測する第２の入力タイミング計測手段と、前記第２の入力タイミングを前記ネットワークを介して第１の情報処理装置に送信する第２の送信手段とを備えた前記第２の情報処理装置から構成された情報処理システムにおいて、
前記第１の情報処理装置は、
前記第２の情報処理装置より送信されてくる、前記第２の入力タイミングを受信する第１の受信手段と、
前記第１の入力タイミングと前記第２の入力タイミングとを比較する第１の比較手段と、
前記第１の比較手段の比較結果に基づいて、前記第２の情報処理装置との認証処理を実行する第１の認証手段と
を備え、
前記第２の情報処理装置は、
前記第１の情報処理装置より送信されてくる、前記第１の入力タイミングを受信する第２の受信手段と、
前記第１の入力タイミングと前記第２の入力タイミングとを比較する第２の比較手段と、
前記第２の比較手段の比較結果に基づいて、前記第１の情報処理装置との認証処理を実行する第２の認証手段と
を備える
ことを特徴とする情報処理システム。
【請求項３２】
前記第１の入力タイミング計測手段は、
前記第１の入力手段によりオンが入力された第１のオンタイミングを計測する第1のオンタイミング計測手段と、
前記第１の入力手段によりオフが入力された第１のオフタイミングを計測する第１のオフタイミング計測手段とをさらに備え、
前記第１のオンタイミング、および、前記第１のオフタイミングを前記第１の入力タイミングとして計測し、
前記第２の入力タイミング計測手段は、
前記第２の入力手段によりオンが入力された第２のオンタイミングを計測する第２のタイミング計測手段と、
前記第２の入力手段によりオフが入力された第２のオフタイミングを計測する第２のタイミング計測手段とをさらに備え、
前記第２のオンタイミング、および、前記第２のオフタイミングを前記第２の入力タイミングとして計測し、
前記第１の送信手段は、前記第１の入力タイミングのうち、前記第１のオフタイミングを前記ネットワークを介して第２の情報処理装置に送信し、
前記第２の送信手段は、前記第２の入力タイミングのうち、前記第２のオンタイミングを前記ネットワークを介して第１の情報処理装置に送信し、
前記第１の受信手段は、前記第２の情報処理装置より送信されてくる、前記第２の入力タイミングのうちの前記第２のオンタイミングを受信し、
前記第２の受信手段は、前記第１の情報処理装置より送信されてくる、前記第１の入力タイミングのうち、前記第１のオフタイミングを受信し、
前記第１の比較手段は、前記第１の入力タイミングのうちの前記第１のオンタイミングと、前記第２の入力タイミングのうちの前記第２のオンタイミングとを比較し、
前記第２の比較手段は、前記第１の入力タイミングのうちの前記第１のオフタイミングと、前記第２の入力タイミングのうちの前記第２のオフタイミングとを比較する
ことを特徴とする請求項３１に記載の情報処理システム。
【請求項３３】
ネットワークを介して相互に接続される、オンオフを入力する第１の入力手段と、前記第１の入力手段によりオンまたはオフが入力された第１の入力タイミングを計測する第１の入力タイミング計測手段と、前記第１の入力タイミングを前記ネットワークを介して第２の情報処理装置に送信する第１の送信手段とを備えた第１の情報処理装置と、オンオフを入力する第２の入力手段と、前記第２の入力手段によりオンまたはオフが入力された第２の入力タイミングを計測する第２の入力タイミング計測手段と、前記第２の入力タイミングを前記ネットワークを介して第１の情報処理装置に送信する第２の送信手段とを備えた前記第２の情報処理装置から構成された情報処理システムの情報処理方法において、
前記第１の情報処理装置の情報処理方法は、
前記第２の情報処理装置より送信されてくる、前記第２の入力タイミングを受信する第１の受信ステップと、
前記第１の入力タイミングと前記第２の入力タイミングとを比較する第１の比較ステップと、
前記第１の比較ステップの処理の比較結果に基づいて、前記第２の情報処理装置との認証処理を実行する第１の認証ステップと
を含み、
前記第２の情報処理装置の情報処理方法は、
前記第１の情報処理装置より送信されてくる、前記第１の入力タイミングを受信する第２の受信ステップと、
前記第１の入力タイミングと前記第２の入力タイミングとを比較する第２の比較ステップと、
前記第２の比較ステップの処理の比較結果に基づいて、前記第１の情報処理装置との認証処理を実行する第２の認証ステップと
を含む
ことを特徴とする情報処理システムの情報処理方法。
【請求項３４】
ネットワークを介して相互に接続される、オンオフを入力する第１の入力手段と、前記第１の入力手段によりオンまたはオフが入力された第１の入力タイミングを計測する第１の入力タイミング計測手段と、前記第１の入力タイミングを前記ネットワークを介して第２の情報処理装置に送信する第１の送信手段とを備えた第１の情報処理装置と、オンオフを入力する第２の入力手段と、前記第２の入力手段によりオンまたはオフが入力された第２の入力タイミングを計測する第２の入力タイミング計測手段と、前記第２の入力タイミングを前記ネットワークを介して第１の情報処理装置に送信する第２の送信手段とを備えた前記第２の情報処理装置から構成された情報処理システムを制御するプログラムであって、
前記第１の情報処理装置を制御するプログラムは、
前記第２の情報処理装置より送信されてくる、前記第２の入力タイミングの受信を制御する第１の受信制御ステップと、
前記第１の入力タイミングと前記第２の入力タイミングとの比較を制御する第１の比較制御ステップと、
前記第１の比較制御ステップの処理の比較結果に基づいて、前記第２の情報処理装置との認証処理の実行を制御する第１の認証制御ステップと
を含み、
前記第２の情報処理装置を制御するプログラムは、
前記第１の情報処理装置より送信されてくる、前記第１の入力タイミングの受信を制御する第２の受信制御ステップと、
前記第１の入力タイミングと前記第２の入力タイミングとの比較を制御する第２の比較制御ステップと、
前記第２の比較制御ステップの処理の比較結果に基づいて、前記第１の情報処理装置との認証処理の実行を制御する第２の認証制御ステップと
を含む
ことを特徴とするコンピュータが読み取り可能なプログラムが記録されている記録媒体。
【請求項３５】
ネットワークを介して相互に接続される、オンオフを入力する第１の入力手段と、前記第１の入力手段によりオンまたはオフが入力された第１の入力タイミングを計測する第１の入力タイミング計測手段と、前記第１の入力タイミングを前記ネットワークを介して第２の情報処理装置に送信する第１の送信手段とを備えた第１の情報処理装置と、オンオフを入力する第２の入力手段と、前記第２の入力手段によりオンまたはオフが入力された第２の入力タイミングを計測する第２の入力タイミング計測手段と、前記第２の入力タイミングを前記ネットワークを介して第１の情報処理装置に送信する第２の送信手段とを備えた前記第２の情報処理装置から構成された情報処理システムを制御するコンピュータのうち、
前記第１の情報処理装置を制御するコンピュータに、
前記第２の情報処理装置より送信されてくる、前記第２の入力タイミングの受信を制御する第１の受信制御ステップと、
前記第１の入力タイミングと前記第２の入力タイミングとの比較を制御する第１の比較制御ステップと、
前記第１の比較制御ステップの処理の比較結果に基づいて、前記第２の情報処理装置との認証処理の実行を制御する第１の認証制御ステップと
を含む処理を実行させ、
前記第２の情報処理装置を制御するコンピュータに、
前記第１の情報処理装置より送信されてくる、前記第１の入力タイミングの受信を制御する第２の受信制御ステップと、
前記第１の入力タイミングと前記第２の入力タイミングとの比較を制御する第２の比較制御ステップと、
前記第２の比較制御ステップの処理の比較結果に基づいて、前記第１の情報処理装置との認証処理の実行を制御する第２の認証制御ステップと
を含む処理を実行させるプログラム。
【手続補正２】
【補正対象書類名】明細書
【補正対象項目名】００２２
【補正方法】変更
【補正の内容】
【００２２】
【課題を解決するための手段】
本発明の第１の情報処理装置は、オンオフを入力する入力手段と、入力手段によりオンまたはオフが入力された入力タイミングを計測する入力タイミング計測手段と、入力タイミングをネットワークを介して他の情報処理装置に送信する送信手段とを備えることを特徴とする。
前記入力タイミング手段には、入力手段によりオンが入力されたオンタイミングを計測するオンタイミング計測手段と、入力手段によりオフが入力されたオフタイミングを計測するオフタイミング計測手段とをさらに設けるようにさせることができ、送信手段には、入力タイミングを、オンタイミング、および、オフタイミングとして、ネットワークを介して他の情報処理装置に送信させるようにすることができる。
【手続補正３】
【補正対象書類名】明細書
【補正対象項目名】００２４
【補正方法】変更
【補正の内容】
【００２４】
前記オンタイミング計測手段、および、オフタイミング計測手段には、いずれも複数回数のタイミングを計測させるようにすることができる。
【手続補正４】
【補正対象書類名】明細書
【補正対象項目名】００２５
【補正方法】変更
【補正の内容】
【００２５】
本発明の第１の情報処理方法は、オンオフを入力する入力ステップと、入力ステップの処理によりオンまたはオフが入力された入力タイミングを計測する入力タイミング計測ステップと、入力タイミングをネットワークを介して他の情報処理装置に送信する送信ステップとを含むことを特徴とする。
【手続補正５】
【補正対象書類名】明細書
【補正対象項目名】００２６
【補正方法】変更
【補正の内容】
【００２６】
本発明の第１の記録媒体のプログラム、オンオフの入力を制御する入力制御ステップと、入力制御ステップの処理によりオンまたはオフが入力された入力タイミングを計測する入力タイミング計測ステップと、入力タイミングのネットワークを介した他の情報処理装置への送信を制御する送信制御ステップとを含むことを特徴とする。
【手続補正６】
【補正対象書類名】明細書
【補正対象項目名】００２７
【補正方法】変更
【補正の内容】
【００２７】
本発明の第１のプログラムは、オンオフの入力を制御する入力制御ステップと、入力制御ステップの処理によりオンまたはオフが入力された入力タイミングを計測する入力タイミング計測ステップと、入力タイミングのネットワークを介した他の情報処理装置への送信を制御する送信制御ステップとをコンピュータに実行させることを特徴とする。
【手続補正７】
【補正対象書類名】明細書
【補正対象項目名】００２８
【補正方法】変更
【補正の内容】
【００２８】
本発明の第２の情報処理装置は、オンオフを入力する入力手段と、入力手段によりオンまたはオフが入力された入力タイミングを計測する入力タイミング計測手段と、他の情報処理装置より送信されてくる、他の情報処理装置の他の入力手段によりオンまたはオフが入力された入力タイミングを受信する入力タイミング受信手段と、入力タイミング計測手段により計測された入力タイミングと、入力タイミング受信手段により受信された入力タイミングとを比較する比較手段と、比較手段の比較結果に基づいて、他の情報処理装置との認証処理を実行する認証手段とを備えることを特徴とする。
【手続補正８】
【補正対象書類名】明細書
【補正対象項目名】００３０
【補正方法】変更
【補正の内容】
【００３０】
前記入力タイミング計測手段には、入力手段によりオンが入力されたオンタイミングを計測する第１のオンタイミング計測手段と、入力手段によりオフが入力されたオフタイミングを計測する第１のオフタイミング計測手段とをさらに設けるようにさせることができ、入力タイミング受信手段には、他の情報処理装置より送信されてくる、他の情報処理装置の他の入力手段によりオンが入力された第２のオンタイミング、および、オフが入力された第２のオフタイミングを入力タイミングとして受信させるようにすることができ、比較手段には、第１のオンタイミングと第２のオンタイミング、および、第１のオフタイミングと第２のオフタイミングを、それぞれ比較させるようにすることができる。
前記比較手段には、第１のオンタイミングと第１のオフタイミング、および、第２のオンタイミングと第２のオフタイミングとの、それぞれの差を求めて、差が所定範囲内であるか否かを比較させるようにすることができる。
【手続補正９】
【補正対象書類名】明細書
【補正対象項目名】００３２
【補正方法】変更
【補正の内容】
【００３２】
前記第１のオンタイミング計測手段、および、第１のオフタイミング計測手段には、いずれも複数回数のタイミングを計測させるようにすることができ、受信手段には、他の入力手段により複数回数オンが入力された第２のオンタイミング、および、複数回数オフにされた第２のオフタイミングを受信させるようにすることができる。
【手続補正１０】
【補正対象書類名】明細書
【補正対象項目名】００３３
【補正方法】変更
【補正の内容】
【００３３】
本発明の第２の情報処理方法は、オンオフを入力する入力ステップと、入力ステップの処理でオンまたはオフが入力されたタイミングを計測する入力タイミング計測ステップと、他の情報処理装置より送信されてくる、他の情報処理装置の他の入力ステップの処理でオンまたはオフが入力された入力タイミングを受信する入力タイミング受信ステップと、入力タイミング計測ステップの処理により計測された入力タイミングと、入力タイミング受信ステップの処理により受信された入力タイミングとを比較する比較ステップと、比較ステップの処理での比較結果に基づいて、他の情報処理装置との認証処理を実行する認証ステップとを含むことを特徴とする。
【手続補正１１】
【補正対象書類名】明細書
【補正対象項目名】００３４
【補正方法】変更
【補正の内容】
【００３４】
本発明の第２の記録媒体のプログラムは、オンオフの入力を制御する入力ステップと、入力制御ステップの処理でオンまたはオフが入力された入力タイミングの計測を制御する入力タイミング計測制御ステップと、他の情報処理装置より送信されてくる、他の情報処理装置の他の入力制御ステップの処理でオンまたはオフが入力された入力タイミングの受信を制御する入力タイミング受信制御ステップと、入力タイミング計測制御ステップの処理により計測された入力タイミングと、入力タイミング受信制御ステップの処理により受信された入力タイミングとを比較を制御する比較制御ステップと、比較制御ステップの処理での比較結果に基づいて、他の情報処理装置との認証処理の実行を制御する認証制御ステップとを含むことを特徴とする。
【手続補正１２】
【補正対象書類名】明細書
【補正対象項目名】００３５
【補正方法】変更
【補正の内容】
【００３５】
本発明の第２のプログラムは、オンオフの入力を制御する入力ステップと、入力制御ステップの処理でオンまたはオフが入力された入力タイミングの計測を制御する入力タイミング計測制御ステップと、他の情報処理装置より送信されてくる、他の情報処理装置の他の入力制御ステップの処理でオンまたはオフが入力された入力タイミングの受信を制御する入力タイミング受信制御ステップと、入力タイミング計測制御ステップの処理により計測された入力タイミングと、入力タイミング受信制御ステップの処理により受信された入力タイミングとを比較を制御する比較制御ステップと、比較制御ステップの処理での比較結果に基づいて、他の情報処理装置との認証処理の実行を制御する認証制御ステップとを実行させる。
【手続補正１３】
【補正対象書類名】明細書
【補正対象項目名】００３６
【補正方法】変更
【補正の内容】
【００３６】
本発明の第１の情報処理システムは、第1の情報処理装置が、オンオフを入力する第１の入力手段と、第１の入力手段によりオンまたはオフが入力された第１の入力タイミングを計測する第１の入力タイミング計測手段と、第１の入力タイミングをネットワークを介して第２の情報処理装置に送信する送信手段とを備え、第２の情報処理装置が、オンオフを入力する第２の入力手段と、第２の入力手段によりオンまたはオフが入力された第２の入力タイミングを計測する第２の入力タイミング計測手段と、第１の情報処理装置より送信されてくる、第１の入力タイミングを受信する受信手段と、第１の入力タイミングと第２の入力タイミングとを比較する比較手段と、比較手段の比較結果に基づいて、第１の情報処理装置との認証処理を実行する認証手段とを備えることを特徴とする。
第１の入力タイミング計測手段には、第１の入力手段によりオンが入力された第１のオンタイミングを計測する第1のオンタイミング計測手段と、第１の入力手段によりオフが入力された第１のオフタイミングを計測する第１のオフタイミング計測手段とをさらに設けるようにさせることができ、第１の入力タイミングを第１のオンタイミングおよび第１のオフタイミングとして計測させるようにすることができ、第２の入力タイミング計測手段には、第２の入力手段によりオンが入力された第２のオンタイミングを計測する第２のオンタイミング計測手段と、第２の入力手段によりオフが入力された第２のオフタイミングを計測する第２のオフタイミング計測手段とをさらに設けるようにさせることができ、第２の入力タイミングを第２のオンタイミングおよび第２のオフタイミングとして計測させるようにすることができ、送信手段には、入力タイミングとして、第１のオンタイミング、および、第１のオフタイミングをネットワークを介して第２の情報処理装置に送信させるようにすることができ、受信手段には、第１の情報処理装置より送信されてくる、第１のオンタイミング、および、第１のオフタイミングを入力タイミングとして受信させるようにすることができ、比較手段には、第１のオンタイミングと第２のオンタイミング、および、第１のオフタイミングと第２のオフタイミングとをそれぞれ比較させるようにすることができる。
【手続補正１４】
【補正対象書類名】明細書
【補正対象項目名】００３７
【補正方法】変更
【補正の内容】
【００３７】
本発明の第１の情報処理システムの情報処理方法は、第1の情報処理装置の情報処理方法が、オンオフを入力する第１の入力ステップと、第１の入力手段によりオンまたはオフが入力された第１の入力タイミングを計測する第1の入力タイミング計測ステップと、第１の入力タイミングをネットワークを介して第２の情報処理装置に送信する送信ステップとを含み、第２の情報処理装置の情報処理方法は、オンオフを入力する第２の入力ステップと、第２の入力ステップの処理でオンまたはオフが入力された入力タイミングを計測する第２の入力タイミング計測ステップと、第１の情報処理装置より送信されてくる、第１の入力タイミングを受信する受信ステップと、第１の入力タイミングと第２の入力タイミングとを比較する比較ステップと、比較ステップの処理での比較結果に基づいて、第１の情報処理装置との認証処理を実行する認証ステップとを含むことを特徴とする。
【手続補正１５】
【補正対象書類名】明細書
【補正対象項目名】００３８
【補正方法】変更
【補正の内容】
【００３８】
本発明の第３の記録媒体のプログラムは、第1の情報処理装置を制御するプログラムが、オンオフの入力を制御する第１の入力制御ステップと、第１の入力制御ステップの処理でオンまたはオフが入力された第１の入力タイミングの計測を制御する第１の入力タイミング計測制御ステップと、第１の入力タイミングのネットワークを介した第２の情報処理装置への送信を制御する送信制御ステップとを含み、第２の情報処理装置を制御するプログラムが、オンオフの入力を制御する第２の入力制御ステップと、第２の入力制御ステップの処理でオンまたはオフが入力された入力タイミングの計測を制御する第２の入力タイミング計測制御ステップと、第１の情報処理装置より送信されてくる、第１の入力タイミングの受信を制御する受信制御ステップと、第１の入力タイミングと第２の入力タイミングとの比較を制御する比較制御ステップと、比較制御ステップの処理での比較結果に基づいた、第１の情報処理装置との認証処理の実行を制御する認証制御ステップとを含むことを特徴とする。
【手続補正１６】
【補正対象書類名】明細書
【補正対象項目名】００３９
【補正方法】変更
【補正の内容】
【００３９】
本発明の第３のプログラムは、第1の情報処理装置を制御するコンピュータに、オンオフの入力を制御する第１の入力制御ステップと、第１の入力制御ステップの処理でオンまたはオフが入力された第１の入力タイミングの計測を制御する第１の入力タイミング計測制御ステップと、第１の入力タイミングのネットワークを介した第２の情報処理装置への送信を制御する送信制御ステップとを実行させ、第２の情報処理装置を制御するコンピュータに、オンオフの入力を制御する第２の入力制御ステップと、第２の入力制御ステップの処理でオンまたはオフが入力された入力タイミングの計測を制御する第２の入力タイミング計測制御ステップと、第１の情報処理装置より送信されてくる、第１の入力タイミングの受信を制御する受信制御ステップと、第１の入力タイミングと第２の入力タイミングとの比較を制御する比較制御ステップと、比較制御ステップの処理での比較結果に基づいた、第１の情報処理装置との認証処理の実行を制御する認証制御ステップとを実行させる。
【手続補正１７】
【補正対象書類名】明細書
【補正対象項目名】００４０
【補正方法】変更
【補正の内容】
【００４０】
本発明の第３の情報処理装置は、オンオフを入力する入力手段と、入力手段によりオンまたはオフが入力された入力タイミングを計測する入力タイミング計測手段と、入力タイミングをネットワークを介して他の情報処理装置に送信する送信手段と、他の情報処理装置より送信されてくる、送信手段により送信された入力タイミングに対応した、他の情報処理装置の他の入力手段によりオンまたはオフが入力された入力タイミングを受信する受信手段と、入力タイミング計測手段により計測された入力タイミングと、受信手段により受信された入力タイミングとを比較する比較手段と、比較手段の比較結果に基づいて、他の情報処理装置との認証処理を実行する認証手段とを備えることを特徴とする。
【手続補正１８】
【補正対象書類名】明細書
【補正対象項目名】００４２
【補正方法】変更
【補正の内容】
【００４２】
前記入力タイミング計測手段には、入力手段によりオンが入力された第１のオンタイミングを計測する第1のオンタイミング計測手段と、入力手段によりオフが入力された第１のオフタイミングを計測する第２のオフタイミング計測手段とをさらに設けるようにさせることができ、送信手段には、入力タイミングを、第１のオンタイミング、および、第１のオフタイミングとして、ネットワークを介して他の情報処理装置に送信させるようにすることができ、受信手段には、他の情報処理装置より送信されてくる、送信手段により送信された第１のオンタイミング、および、第１のオフタイミングに対応した、他の情報処理装置の他の入力手段によりオンが入力された第２のオンタイミング、および、オフが入力された第２のオフタイミングを受信させるようにすることができ、比較手段には、第１のオンタイミングと第２のオンタイミング、または、第１のオフタイミングと第２のオフタイミングとを比較させるようにすることができる。
前記第１のオンタイミング計測手段、および、第１のオフタイミング計測手段には、いずれも複数回数のタイミングを計測させるようにすることができ、受信手段には、他の入力手段により複数回数オンが入力された第２のオンタイミング、および、複数回数オフにされた第２のオフタイミングを受信させるようにすることができる。
【手続補正１９】
【補正対象書類名】明細書
【補正対象項目名】００４３
【補正方法】変更
【補正の内容】
【００４３】
前記比較手段には、第１のオンタイミングと第２のオンタイミング、または、第１のオフタイミングと第２のオフタイミングとの差を求めさせて、差が所定範囲内になるか否かを比較させるようにすることができる。
【手続補正２０】
【補正対象書類名】明細書
【補正対象項目名】００４５
【補正方法】変更
【補正の内容】
【００４５】
本発明の第３の情報処理方法は、オンオフを入力する入力ステップと、入力ステップの処理でオンまたはオフが入力された入力タイミングを計測する入力タイミング計測ステップと、入力タイミングをネットワークを介して他の情報処理装置に送信する送信ステップと、他の情報処理装置より送信されてくる、送信ステップの処理で送信された入力タイミングに対応した、他の情報処理装置の他の入力ステップの処理でオンまたはオフが入力された入力タイミングを受信する受信ステップと、入力タイミング計測手段により計測された入力タイミングと、受信手段により受信された入力タイミングとを比較する比較ステップと、比較ステップの処理での比較結果に基づいて、他の情報処理装置との認証処理を実行する認証ステップとを含むことを特徴とする。
【手続補正２１】
【補正対象書類名】明細書
【補正対象項目名】００４６
【補正方法】変更
【補正の内容】
【００４６】
本発明の第４の記録媒体のプログラムは、オンオフの入力を制御する入力制御ステップと、入力制御ステップの処理でオンまたはオフが入力された入力タイミングの計測を制御する入力タイミング計測制御ステップと、入力タイミングのネットワークを介した他の情報処理装置への送信を制御する送信制御ステップと、他の情報処理装置より送信されてくる、送信制御ステップの処理で送信された入力タイミングに対応した、他の情報処理装置の他の入力制御ステップの処理でオンまたはオフが入力された入力タイミングの受信を制御する受信制御ステップと、入力タイミング計測制御ステップの処理により計測された入力タイミングと、受信制御ステップの処理により受信された入力タイミングとの比較を制御する比較制御ステップと、比較制御ステップの処理での比較結果に基づいて、他の情報処理装置との認証処理の実行を制御する認証制御ステップとを含むことを特徴とする。
【手続補正２２】
【補正対象書類名】明細書
【補正対象項目名】００４７
【補正方法】変更
【補正の内容】
【００４７】
本発明の第４のプログラムは、オンオフの入力を制御する入力制御ステップと、入力制御ステップの処理でオンまたはオフが入力された入力タイミングの計測を制御する入力タイミング計測制御ステップと、入力タイミングのネットワークを介した他の情報処理装置への送信を制御する送信制御ステップと、他の情報処理装置より送信されてくる、送信制御ステップの処理で送信された入力タイミングに対応した、他の情報処理装置の他の入力制御ステップの処理でオンまたはオフが入力された入力タイミングの受信を制御する受信制御ステップと、入力タイミング計測制御ステップの処理により計測された入力タイミングと、受信制御ステップの処理により受信された入力タイミングとの比較を制御する比較制御ステップと、比較制御ステップの処理での比較結果に基づいて、他の情報処理装置との認証処理の実行を制御する認証制御ステップとを実行させる。
【手続補正２３】
【補正対象書類名】明細書
【補正対象項目名】００４８
【補正方法】変更
【補正の内容】
【００４８】
本発明の第２の情報処理システムは、第１の情報処理装置が、第２の情報処理装置より送信されてくる、第２の入力タイミングを受信する第１の受信手段と、第１の入力タイミングと第２の入力タイミングとを比較する第１の比較手段と、第１の比較手段の比較結果に基づいて、第２の情報処理装置との認証処理を実行する第１の認証手段とを備え、第２の情報処理装置が、第１の情報処理装置より送信されてくる、第１の入力タイミングを受信する第２の受信手段と、第１の入力タイミングと第２の入力タイミングとを比較する第２の比較手段と、第２の比較手段の比較結果に基づいて、第１の情報処理装置との認証処理を実行する第２の認証手段とを備えることを特徴とする。
前記第１の入力タイミング計測手段には、第１の入力手段によりオンが入力された第１のオンタイミングを計測する第1のオンタイミング計測手段と、第１の入力手段によりオフが入力された第１のオフタイミングを計測する第１のオフタイミング計測手段とをさらに設けるようにさせることができ、第１のオンタイミング、および、第１のオフタイミングを第１の入力タイミングとして計測させるようにすることができ、第２の入力タイミング計測手段には、第２の入力手段によりオンが入力された第２のオンタイミングを計測する第２のタイミング計測手段と、第２の入力手段によりオフが入力された第２のオフタイミングを計測する第２のタイミング計測手段とをさらに設けるようにさせることができ、第２のオンタイミング、および、第２のオフタイミングを第２の入力タイミングとして計測させるようにすることができ、第１の送信手段には、第１の入力タイミングのうち、第１のオフタイミングをネットワークを介して第２の情報処理装置に送信させるようにすることができ、第２の送信手段には、第２の入力タイミングのうち、第２のオンタイミングをネットワークを介して第１の情報処理装置に送信させるようにすることができ、第１の受信手段には、第２の情報処理装置より送信されてくる、第２の入力タイミングのうちの第２のオンタイミングを受信させるようにすることができ、第２の受信手段には、第１の情報処理装置より送信されてくる、第１の入力タイミングのうち、第１のオフタイミングを受信させるようにすることができ、第１の比較手段には、第１の入力タイミングのうちの第１のオンタイミングと、第２の入力タイミングのうちの第２のオンタイミングとを比較させるようにすることができ、第２の比較手段には、第１の入力タイミングのうちの第１のオフタイミングと、第２の入力タイミングのうちの第２のオフタイミングとを比較させるようにすることができる。
【手続補正２４】
【補正対象書類名】明細書
【補正対象項目名】００４９
【補正方法】変更
【補正の内容】
【００４９】
本発明の第２の情報処理システムの情報処理方法は、第１の情報処理装置の情報処理方法が、第２の情報処理装置より送信されてくる、第２の入力タイミングを受信する第１の受信ステップと、第１の入力タイミングと第２の入力タイミングとを比較する第１の比較ステップと、第１の比較ステップの処理の比較結果に基づいて、第２の情報処理装置との認証処理を実行する第１の認証ステップとを含み、第２の情報処理装置の情報処理方法が、第１の情報処理装置より送信されてくる、第１の入力タイミングを受信する第２の受信ステップと、第１の入力タイミングと第２の入力タイミングとを比較する第２の比較ステップと、第２の比較ステップの処理の比較結果に基づいて、第１の情報処理装置との認証処理を実行する第２の認証ステップとを含むことを特徴とする。
【手続補正２５】
【補正対象書類名】明細書
【補正対象項目名】００５０
【補正方法】変更
【補正の内容】
【００５０】
本発明の第５の記録媒体のプログラムは、第１の情報処理装置を制御するプログラムが、第２の情報処理装置より送信されてくる、第２の入力タイミングの受信を制御する第１の受信制御ステップと、第１の入力タイミングと第２の入力タイミングとの比較を制御する第１の比較制御ステップと、第１の比較制御ステップの処理の比較結果に基づいて、第２の情報処理装置との認証処理の実行を制御する第１の認証制御ステップとを含み、第２の情報処理装置を制御するプログラムは、第１の情報処理装置より送信されてくる、第１の入力タイミングの受信を制御する第２の受信制御ステップと、第１の入力タイミングと第２の入力タイミングとの比較を制御する第２の比較制御ステップと、第２の比較制御ステップの処理の比較結果に基づいて、第１の情報処理装置との認証処理の実行を制御する第２の認証制御ステップとを含むことを特徴とする。
【手続補正２６】
【補正対象書類名】明細書
【補正対象項目名】００５１
【補正方法】変更
【補正の内容】
【００５１】
本発明の第５のプログラムは、第１の情報処理装置を制御するコンピュータに、第２の情報処理装置より送信されてくる、第２の入力タイミングの受信を制御する第１の受信制御ステップと、第１の入力タイミングと第２の入力タイミングとの比較を制御する第１の比較制御ステップと、第１の比較制御ステップの処理の比較結果に基づいて、第２の情報処理装置との認証処理の実行を制御する第１の認証制御ステップとを含む処理を実行させ、第２の情報処理装置を制御するコンピュータに、第１の情報処理装置より送信されてくる、第１の入力タイミングの受信を制御する第２の受信制御ステップと、第１の入力タイミングと第２の入力タイミングとの比較を制御する第２の比較制御ステップと、第２の比較制御ステップの処理の比較結果に基づいて、第１の情報処理装置との認証処理の実行を制御する第２の認証制御ステップとを含む処理を実行させる。
【手続補正２７】
【補正対象書類名】明細書
【補正対象項目名】００５２
【補正方法】変更
【補正の内容】
【００５２】
本発明の第１の情報処理装置および方法、並びにプログラムにおいては、オンオフが入力され、オンまたはオフが入力された入力タイミングが計測され、入力タイミングがネットワークを介して他の情報処理装置に送信される。
【手続補正２８】
【補正対象書類名】明細書
【補正対象項目名】００５３
【補正方法】変更
【補正の内容】
【００５３】
本発明の第２の情報処理装置および方法、並びにプログラムにおいては、オンオフが入力され、オンまたはオフが入力された入力タイミングが計測され、他の情報処理装置より送信されてくる、他の情報処理装置にオンまたはオフが入力された入力タイミングが受信され、計測された入力タイミングと、受信された入力タイミングとが比較され、比較結果に基づいて、他の情報処理装置との認証処理が実行される。
【手続補正２９】
【補正対象書類名】明細書
【補正対象項目名】００５４
【補正方法】変更
【補正の内容】
【００５４】
本発明の第１の情報処理システムおよび方法、並びにプログラムにおいては、第1の情報処理装置により、オンオフが入力され、オンまたはオフが入力された第１の入力タイミングが計測され、第１の入力タイミングがネットワークを介して第２の情報処理装置に送信され、第２の情報処理装置により、オンオフが入力され、オンまたはオフが入力された第２の入力タイミングが計測され、第１の情報処理装置より送信されてくる、第１の入力タイミングが受信され、第１の入力タイミングと第２の入力タイミングとが比較され、比較結果に基づいて、第１の情報処理装置との認証処理が実行される。
【手続補正３０】
【補正対象書類名】明細書
【補正対象項目名】００５５
【補正方法】変更
【補正の内容】
【００５５】
本発明の第３の情報処理装置および方法、並びにプログラムにおいては、オンオフが入力され、オンまたはオフが入力された入力タイミングが計測され、入力タイミングがネットワークを介して他の情報処理装置に送信され、他の情報処理装置より送信されてくる、送信された入力タイミングに対応した、他の情報処理装置のオンまたはオフが入力された入力タイミングが受信され、計測された入力タイミングと、受信された入力タイミングとが比較され、比較結果に基づいて、他の情報処理装置との認証処理が実行される。
【手続補正３１】
【補正対象書類名】明細書
【補正対象項目名】００５６
【補正方法】変更
【補正の内容】
【００５６】
本発明の第２の情報処理システムおよび方法、並びにプログラムにおいては、第１の情報処理装置により、第２の情報処理装置より送信されてくる、第２の入力タイミングが受信され、第１の入力タイミングと第２の入力タイミングとが比較され、比較結果に基づいて、第２の情報処理装置との認証処理が実行され、第２の情報処理装置により、第１の情報処理装置より送信されてくる、第１の入力タイミングが受信され、第１の入力タイミングと第２の入力タイミングとが比較され、比較結果に基づいて、第１の情報処理装置との認証処理が実行される。
【手続補正３２】
【補正対象書類名】明細書
【補正対象項目名】０１４８
【補正方法】変更
【補正の内容】
【０１４８】
【発明の効果】
本発明の第１の情報処理装置および方法、並びにプログラムによれば、オンオフを入力し、オンまたはオフを入力した入力タイミングを計測し、入力タイミングをネットワークを介して他の情報処理装置に送信するようにした。
【手続補正３３】
【補正対象書類名】明細書
【補正対象項目名】０１４９
【補正方法】変更
【補正の内容】
【０１４９】
本発明の第２の情報処理装置および方法、並びにプログラムによれば、オンオフを入力し、オンまたはオフが入力された入力タイミングを計測し、他の情報処理装置より送信されてくる、他の情報処理装置にオンまたはオフが入力された入力タイミングを受信し、計測された入力タイミングと、受信された入力タイミングとを比較し、比較結果に基づいて、他の情報処理装置との認証処理を実行するようにした。
【手続補正３４】
【補正対象書類名】明細書
【補正対象項目名】０１５０
【補正方法】変更
【補正の内容】
【０１５０】
本発明の第１の情報処理システムおよび方法、並びにプログラムによれば、第1の情報処理装置が、オンオフを入力し、オンまたはオフを入力した第１の入力タイミングを計測し、第１の入力タイミングをネットワークを介して第２の情報処理装置に送信し、第２の情報処理装置が、オンオフを入力し、オンまたはオフを入力した第２の入力タイミングを計測し、第１の情報処理装置より送信されてくる、第１の入力タイミングを受信し、第１の入力タイミングと第２の入力タイミングとを比較し、比較結果に基づいて、第１の情報処理装置との認証処理を実行するようにした。
【手続補正３５】
【補正対象書類名】明細書
【補正対象項目名】０１５１
【補正方法】変更
【補正の内容】
【０１５１】
本発明の第３の情報処理装置および方法、並びにプログラムによれば、オンオフを入力し、オンまたはオフが入力した入力タイミングを計測し、入力タイミングをネットワークを介して他の情報処理装置に送信し、他の情報処理装置より送信されてくる、送信された入力タイミングに対応した、他の情報処理装置のオンまたはオフを入力した入力タイミングを受信し、計測した入力タイミングと、受信した入力タイミングとを比較し、比較結果に基づいて、他の情報処理装置との認証処理を実行するようにした。
【手続補正３６】
【補正対象書類名】明細書
【補正対象項目名】０１５２
【補正方法】変更
【補正の内容】
【０１５２】
本発明の第２の情報処理システムおよび方法、並びにプログラムによれば、第１の情報処理装置が、第２の情報処理装置より送信されてくる、第２の入力タイミングを受信し、第１の入力タイミングと第２の入力タイミングとを比較し、比較結果に基づいて、第２の情報処理装置との認証処理を実行し、第２の情報処理装置が、第１の情報処理装置より送信されてくる、第１の入力タイミングを受信し、第１の入力タイミングと第２の入力タイミングとを比較し、比較結果に基づいて、第１の情報処理装置との認証処理を実行するようにした。